(57)【要約】      （修正有）【課題】搬送信号のレベル低下発生時の異常発生確認を適確にする。【解決手段】親局１と子局２間を上りと下りでそれぞれ二重化伝送路Ａ，Ｂで接続し、送信情報の搬送信号を分岐器３Ｓ，４Ｓで分岐して二重化伝送路で送信し、切替器３Ｒ，４Ｒで二重化伝送路の一方に切り替えて受信し、切替器は受信信号のレベル低下が監視タイマ３Ｔ，４Ｔのタイマ時限で設定する時間継続したときに他方の受信出力に切り替える遠方監視制御システムにおいて、  試験波発生器３Ｃ，４Ｃは分岐器に試験波信号を定期的に注入して二重化伝送路で送信し、切替判定器３Ｊ，４Ｊは受信した対の試験波信号の時間差を監視タイマのタイマ時限として自動補正する。  表示器３Ｄ，４Ｄは時間差を表示する。【選択図】  図１
2006086914.tif 000002
【特許請求の範囲】
【請求項１】
親局と子局間を二重化伝送路で接続し、送信側は送信情報の搬送信号を分岐器で分岐して二重化伝送路で送信し、受信側は切替器で二重化伝送路の一方に切り替えて受信し、前記切替器は受信信号のレベル低下が監視タイマのタイマ時限で設定する時間継続したときに他方の伝送路からの受信出力に切り替える伝送路切替手段を備えた遠方監視制御システムにおいて、
送信側は、前記分岐器に試験波信号を定期的に注入して前記二重化伝送路で送信する試験波信号送信手段を設け、
受信側は、前記二重化伝送路で受信した対の試験波信号の時間差を検出し、この時間差を前記監視タイマのタイマ時限として自動補正する切替判定手段を設けたことを特徴とする遠方監視制御システム。
【請求項２】
前記切替判定手段は、前記時間差を表示器に表示させる手段を備えたことを特徴とする請求項１に記載の遠方監視制御システム。
【発明の詳細な説明】
【技術分野】
【０００１】
本発明は、親局と子局間を二重化伝送路で接続した遠方監視制御システムに係り、特に伝送路切替方式に関する。
【背景技術】
【０００２】
この種の遠方監視制御システムの構成例を図２に示す。親局になる制御所１と子局になる被制御所２とは、切替回路３，４を介して二重化伝送路（上り伝送路Ａ，Ｂと下り伝送路Ａ，Ｂ）で接続する。
【０００３】
被制御所２は、情報処理装置（ＣＰＵ）２ＳＣの出力になる上り情報を変調器２Ｍで変調して切替回路４に搬送信号として出力し、この信号を切替回路４の分岐器４Ｓで分岐して二重化伝送路Ａ，Ｂで送信する。切替回路３は二重化伝送路Ａ，Ｂで送信されてくる搬送信号を切替器３Ｒで一方のみを選択し、この搬送信号は制御所１の復調器１Ｄで復調し、情報処理装置（ＣＰＵ）１ＲＣで受信処理する。
【０００４】
同様に、制御所１は、情報処理装置（ＣＰＵ）１ＳＣの出力になる下り情報を変調器１Ｍで変調して切替回路３に搬送信号として出力し、この信号を切替回路３の分岐器３Ｓで分岐して二重化伝送路Ａ，Ｂで送信する。切替回路４は二重化伝送路Ａ，Ｂで送信されてくる搬送信号を切替器４Ｒで一方のみを選択し、この搬送信号は被制御所２の復調器２Ｄで復調し、情報処理装置（ＣＰＵ）２ＲＣで受信処理する。
【０００５】
ここで、切替回路３，４の切替器３Ｒ、４Ｒによる伝送路切り替え制御には、現在使用している伝送路（使用伝送路）から復調器に出力している搬送信号の大きさ（着信レベル）を監視しておき、この着信レベルが設定値を下回るときに待機伝送路からの搬送信号の着信レベルが健全であることを条件に当該待機伝送路に切り替える（例えば、特許文献１参照）。
【０００６】
上記の伝送路切り替えは、図３にタイムチャートを示すように、使用伝送路Ａからの搬送信号レベルが低下したとき（異常発生したとき）、図２中に示す異常発生確認用タイマ３Ｔ，４Ｔに設定するタイマ時限だけ異常発生の継続を確認し、この確認で異常発報すると共に切替器を待機伝送路Ｂ側に切り替える。この切替には、切替中の信号を受信側の情報処理装置に通報し、受信側の情報処理装置では現在の搬送信号の信号破棄と受信再開などの処理を行うための切替時間を確保する。
【０００７】
なお、遠方監視制御システムにおける通信方式としては、従来からのサイクリック伝送方式に代えて、高速データ伝送に適したＨＤＬＣ（ハイレベル・データ・リンク制御）方式が普及している。
【特許文献１】特開２００３−１３４００２号公報
【発明の開示】
【発明が解決しようとする課題】
【０００８】
遠方監視制御システムにおける前記のタイマ時限は、数秒程度に設定され、信号レベルの低下を確実に検出する。このタイマ時限に設定することは信号レベルが実際に低下したときにその分だけ切り替えが遅れ、この遅れ時間に比例して送受信情報の欠落が多くなってしまう問題がある。
【０００９】
逆に、タイマ時限を短く設定した場合、変調器と復調器の出力に含まれる同期信号にはエネルギーのない時間が存在することがあるため、この期間に切替器が信号レベルの低下として誤検出してしまい、伝送ルートの不要な切り替えを行ってしまう。この切り替えはルート切替中が介在して伝送経路の論理結合の遮断を起こし、送受信情報の欠落も起こす問題がある。
【００１０】
本発明の目的は、搬送信号のレベル低下発生時の異常発生確認を適確にした遠方監視制御システムを提供することにある。
【課題を解決するための手段】
【００１１】
本発明は、上記の課題を解決するため、搬送信号にレベル低下が発生したときにその継続時間で異常発生を確認するための監視タイマのタイマ時限を、二重化伝送路にそれぞれ同じ試験波信号を注入し、これら対の試験波信号が切替器まで伝送されたときの時間差に応じて自動補正するようにしたもので、以下の構成を特徴とする。
【００１２】
（１）親局と子局間を二重化伝送路で接続し、送信側は送信情報の搬送信号を分岐器で分岐して二重化伝送路で送信し、受信側は切替器で二重化伝送路の一方に切り替えて受信し、前記切替器は受信信号のレベル低下が監視タイマのタイマ時限で設定する時間継続したときに他方の伝送路からの受信出力に切り替える伝送路切替手段を備えた遠方監視制御システムにおいて、
送信側は、前記分岐器に試験波信号を定期的に注入して前記二重化伝送路で送信する試験波信号送信手段を設け、
受信側は、前記二重化伝送路で受信した対の試験波信号の時間差を検出し、この時間差を前記監視タイマのタイマ時限として自動補正する切替判定手段を設けたことを特徴とする。
【００１３】
（２）前記切替判定手段は、前記時間差を表示器に表示させる手段を備えたことを特徴とする。
【発明の効果】
【００１４】
以上のとおり、本発明によれば、搬送信号にレベル低下が発生したときにその継続時間で異常発生を確認するための監視タイマのタイマ時限を、二重化伝送路にそれぞれ同じ試験波信号を注入し、これら対の試験波信号が切替器まで伝送されたときの時間差に応じて自動補正するようにしたため、レベル低下の継続時間による異常発生の確認に比べて、適確な確認を得ることができる。
【００１５】
例えば、実際の伝送異常と伝送路特性の変化とを明確に判別したタイマ時限設定ができ、伝送異常が発生したときの切り替え遅れを短縮できる。
【００１６】
また、変調器と復調器の出力に含まれる同期信号にエネルギーのない時間が存在した場合にも誤検出を防止でき、伝送ルートの不要な切り替えを無くすことができる。
【００１７】
また、試験波信号の時間差を数字表示器に表示することで伝送特性の現在状況の認識や改善を促すのに利用できる。
【発明を実施するための最良の形態】
【００１８】
図１は、本発明の実施形態を示すシステム構成図である。同図が図２と異なる部分は、試験波発生器３Ｃ、４Ｃと合成器（ハイブリッドトランス）３Ｈ、４Ｈ、切替判定器３Ｊ、４Ｊと数字表示器３Ｄ、４Ｄを設けた点にある。
【００１９】
試験波発生器３Ｃ、４Ｃは変調器１Ｍ，２Ｍが発生する搬送信号と同等の周波数およびレベルをもつ試験波信号（試験波コードをもつパルス信号）を定期的に発生する。合成器３Ｈ、４Ｈは、変調器１Ｍ、２Ｍからの搬送信号と、試験波発生器３Ｃ、４Ｃが発生する試験波を合成して分岐器３Ｓ、４Ｓの入力信号として出力する。
【００２０】
切替判定器３Ｊ、４Ｊは、二重化伝送路Ａ，Ｂを通して伝送され、切替器３Ｒ、４Ｒにそれぞれ入力される信号のうち、試験波発生器３Ｃ、４Ｃで発生して分岐された対の試験波をそれぞれ抽出し、両試験波信号の時間差を検出し、この時間差に応じて異常発生確認用タイマ３Ｔ、４Ｔの時限を自動補正すると共に、その時間差を数字表示器３Ｄ、４Ｄに表示させる。
【００２１】
図１の構成において、異常発生確認用タイマ３Ｔ、４Ｔのタイマ時限は情報処理装置（ＣＰＵ）１ＲＣ、２ＲＣによって適当な値に初期設定しておく。この状態で、試験波発生器３Ｃ、４Ｃは定期的に試験波信号を発生する。これにより、試験波信号が二重化伝送路（下りと上り伝送路Ａ，Ｂ）で切替器４Ｒ、３Ｒに伝送される。これら切替器４Ｒ、３Ｒに入力される対の試験波信号は、伝送路Ａ，Ｂの伝送特性による伝送遅延時間を伴って入力される。
【００２２】
このときの対の試験波信号の時間差は、伝送路Ａ，Ｂの現在の伝送特性の善し悪しに対応する。そこで、切替判定器３Ｊ，４Ｊは、現在使用中の伝送路でレベル低下が発生したときの異常発生確認用タイマ３Ｔ，４Ｔの時限を対の試験波信号の時間差に応じて自動補正しておく。
【００２３】
例えば、対の試験波信号の時間差が１００ｍｓあれば、タイマ時限を１００ｍｓに自動補正しておく。こうした時限設定をしておくことで、この後に搬送信号のレベル低下が起き、そのレベル低下の継続が１００ｍｓ以下で回復した場合には搬送信号のレベル低下は伝送路の遅延時間によるもので、伝送路切り替え不要と判定できる。この場合、タイマによる異常発報はなされず、伝送路の不要な切り替えも防止できる。
【００２４】
また、対の試験波信号の時間差は、二重化伝送路Ａ，Ｂの現在の伝送特性を伝送遅延時間として対応付けることができ、これを数字表示器３Ｄ，４Ｄに表示することで伝送特性の現在状況の認識や改善を促すのに利用できる。
【図面の簡単な説明】
【００２５】
【図１】本発明の実施形態を示す遠方監視制御システムの構成図。
【図２】二重化伝送路をもつ従来の遠方監視制御システムの構成図。
【図３】二重化伝送路の伝送ルート切替タイムチャート。
【符号の説明】
【００２６】
１  制御所（親局）
２  被制御所（子局）
３、４  切替回路
１ＲＣ，１ＳＣ，２ＲＣ，２ＳＣ  情報処理装置
１Ｍ，２Ｍ  変調器
１Ｄ，２Ｄ  復調器
３Ｒ，４Ｒ  切替器
３Ｓ，４Ｓ  分岐器
３Ｔ，４Ｔ  監視タイマ
３Ｃ，４Ｃ  試験波発生器
３Ｈ，４Ｈ  合成器（ハイブリッドトランス）
３Ｊ，４Ｊ  切替判定器
３Ｄ，４Ｄ  数字表示器
【図１】
2006086914.tif 000003
【図２】
2006086914.tif 000004
【図３】
2006086914.tif 000005